【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
第１の複数の低雑音増幅器（ＬＮＡ）と、
前記第１の複数のＬＮＡの複数の出力を第２の複数のＬＮＡへとルーティングするように構成されたカスケードされたスイッチと、
を備える、装置。
【請求項２】
前記カスケードされたスイッチは、
前記第１の複数のＬＮＡに結合された複数の入力を有する複数の第１のスイッチを含む第１の複数のスイッチと、
前記第１の複数のスイッチの複数の出力に結合された複数の入力を有する複数の第２のスイッチを含む第２の複数のスイッチと、
を備える、請求項１に記載の装置。
【請求項３】
前記第２の複数のスイッチの複数の出力は、前記第２の複数のＬＮＡの複数の入力に結合される、請求項２に記載の装置。
【請求項４】
前記第１の複数のＬＮＡは、複数の狭帯域ＬＮＡを含み、前記第２の複数のＬＮＡは、複数の広帯域ＬＮＡを含む、請求項３に記載の装置。
【請求項５】
前記カスケードされたスイッチは、前記第１の複数のＬＮＡの前記複数の出力をプリント回路基板ルーティングを介して前記第２の複数のＬＮＡへとルーティングするように構成される、請求項１に記載の装置。
【請求項６】
前記第１の複数のＬＮＡは、第１の数のＬＮＡを含み、前記第２の複数のＬＮＡは、第２の数のＬＮＡを含み、ここにおいて、前記第１の数は、前記第２の数よりも大きい、請求項１に記載の装置。
【請求項７】
第３の複数のＬＮＡと、
前記第３の複数のＬＮＡの複数の出力を第４の複数のＬＮＡへとルーティングするように構成された第２のカスケードされたスイッチと、
をさらに備える、請求項１に記載の装置。
【請求項８】
前記第１の複数のＬＮＡは、第１のアンテナに結合され、前記第３の複数のＬＮＡは、第２のアンテナに結合される、請求項７に記載の装置。
【請求項９】
前記カスケードされたスイッチの出力に結合された第１の入力を含み、前記第２のカスケードされたスイッチの出力に結合された第２の入力を含む受信機をさらに備える、請求項８に記載の装置。
【請求項１０】
前記カスケードされたスイッチは、帯域幅に基づき、プリント回路基板ルーティングを介して、複数の前記出力を前記第２の複数のＬＮＡのうちの複数のＬＮＡに結合するように構成される、請求項１に記載の装置。
【請求項１１】
第１の複数の低雑音増幅器（ＬＮＡ）からの増幅された信号をカスケードされたスイッチにおいて受信することと、
前記カスケードされたスイッチから前記増幅された信号を第２の複数のＬＮＡへと送ることと、
を備える、方法。
【請求項１２】
前記カスケードされたスイッチは、前記第１の複数のＬＮＡのうちの複数のＬＮＡの複数の出力を、前記第２の複数のＬＮＡを含む複数の受信機に結合する、請求項１１に記載の方法。
【手続補正２】
【補正対象書類名】明細書
【補正対象項目名】００５８
【補正方法】変更
【補正の内容】
【００５８】
[0065]本開示の実施形態についての以上の説明は、当業者が、本開示の実施形態を製作および使用することができるように提供されている。これらの実施形態の種々の変更が、当業者にとって容易に明らかであり、本明細書に定められる原理は、本開示の技術的範囲から離れることなく他の実施形態に適用され得る。したがって、本開示は、本明細書に示された実施形態に限定されることが意図されるものではなく、以下の特許請求の範囲によって定義される原理および新規な特徴と矛盾しない可能な最も広い範囲が与えられるべきである。
以下に本願の出願当初の特許請求の範囲に記載された発明を付記する。
［Ｃ１］
第１の複数の低雑音増幅器（ＬＮＡ）と、
前記第１の複数のＬＮＡの複数の出力を第２の複数のＬＮＡへとルーティングするように構成されたカスケードされたスイッチと、
を備える、装置。
［Ｃ２］
前記カスケードされたスイッチは、
前記第１の複数のＬＮＡに結合された複数の入力を有する複数の第１のスイッチを含む第１の複数のスイッチと、
前記第１の複数のスイッチの複数の出力に結合された複数の入力を有する複数の第２のスイッチを含む第２の複数のスイッチと、
を備える、Ｃ１に記載の装置。
［Ｃ３］
前記第２の複数のスイッチの複数の出力は、前記第２の複数のＬＮＡの複数の入力に結合される、Ｃ２に記載の装置。
［Ｃ４］
前記第１の複数のＬＮＡは、複数の狭帯域ＬＮＡを含み、前記第２の複数のＬＮＡは、複数の広帯域ＬＮＡを含む、Ｃ３に記載の装置。
［Ｃ５］
前記カスケードされたスイッチは、前記第１の複数のＬＮＡの前記複数の出力をプリント回路基板ルーティングを介して前記第２の複数のＬＮＡへとルーティングするように構成される、Ｃ１に記載の装置。
［Ｃ６］
前記第１の複数のＬＮＡは、第１の数のＬＮＡを含み、前記第２の複数のＬＮＡは、第２の数のＬＮＡを含み、ここにおいて、前記第１の数は、前記第２の数よりも大きい、Ｃ１に記載の装置。
［Ｃ７］
第３の複数のＬＮＡと、
前記第３の複数のＬＮＡの複数の出力を第４の複数のＬＮＡへとルーティングするように構成された第２のカスケードされたスイッチと、
をさらに備える、Ｃ１に記載の装置。
［Ｃ８］
前記第１の複数のＬＮＡは、第１のアンテナに結合され、前記第３の複数のＬＮＡは、第２のアンテナに結合される、Ｃ７に記載の装置。
［Ｃ９］
前記カスケードされたスイッチの出力に結合された第１の入力を含み、前記第２のカスケードされたスイッチの出力に結合された第２の入力を含む受信機をさらに備える、Ｃ８に記載の装置。
［Ｃ１０］
前記カスケードされたスイッチは、帯域幅に基づき、プリント回路基板ルーティングを介して、複数の前記出力を前記第２の複数のＬＮＡのうちの複数のＬＮＡに結合するように構成される、Ｃ１に記載の装置。
［Ｃ１１］
複数の第１のルーティングされた信号を生成するために第１の増幅するための手段からの複数の第１の信号をルーティングするための手段と、
前記複数の第１のルーティングされた信号を第２の増幅するための手段へとルーティングするための手段と、
を備える、装置。
［Ｃ１２］
前記第１の増幅するための手段は、狭帯域信号を増幅するための手段を備える、Ｃ１１に記載の装置。
［Ｃ１３］
前記第２の増幅するための手段は、広帯域信号を増幅するための手段を備える、Ｃ１１に記載の装置。
［Ｃ１４］
複数の第２のルーティングされた信号を生成するために第３の増幅するための手段からの複数の第２の信号をルーティングするための手段をさらに備える、Ｃ１１に記載の装置。
［Ｃ１５］
前記複数の第２のルーティングされた信号を第４の増幅するための手段へとルーティングするための手段をさらに備える、Ｃ１４に記載の装置。
［Ｃ１６］
前記第２の増幅するための手段の複数の第１の出力信号を信号処理するための手段をさらに備える、Ｃ１５に記載の装置。
［Ｃ１７］
前記第４の増幅するための手段の複数の第２の出力信号を信号処理するための手段をさらに備える、Ｃ１６に記載の装置。
［Ｃ１８］
前記第１の信号をルーティングするための前記手段は、第１の複数のスイッチングするための手段を備え、前記複数の第１のルーティングされた信号をルーティングするための前記手段は、第２の複数のスイッチングするための手段を備える、Ｃ１７に記載の装置。
［Ｃ１９］
第１の複数の低雑音増幅器（ＬＮＡ）からの増幅された信号をカスケードされたスイッチにおいて受信することと、
前記カスケードされたスイッチから前記増幅された信号を第２の複数のＬＮＡへと送ることと、
を備える、方法。
［Ｃ２０］
前記カスケードされたスイッチは、前記第１の複数のＬＮＡのうちの複数のＬＮＡの複数の出力を、前記第２の複数のＬＮＡを含む複数の受信機に結合する、Ｃ１９に記載の方法。